(57)【特許請求の範囲】
【請求項１】
走行装置（２）を備えた走行車体（１）の上側に脱穀装置（３）と穀粒貯留装置（Ｇ）を左右に並べて設け、該穀粒貯留装置（Ｇ）の前側には運転席（５）を備えた操縦部（Ｔ）を設け、該操縦部（Ｔ）の前方に昇降自在な刈取装置（４）を設けたコンバインにおいて、前記刈取装置（４）の前部に、多数の引起ラグ（１４）を備えた後上がり傾斜姿勢の引起装置（８）を設け、前記引起ラグ（１４）の上昇移動軌跡の上方延長線上に、前後方向の傾斜姿勢を変更自在なカバー（１５）を設け、
前記刈取装置（４）の左右両側部を覆う刈取サイドカバー（１８）を、上部サイドカバー（１８ａ）と下部サイドカバー（１８ｂ）とに上下に分割し、上部サイドカバー（１８ａ）を前記カバー（１５）と一体化し、
該カバー（１５）を上方へ回動させて所定の開姿勢に設定したときにのみ、左右方向両端部の引起装置（８）の間に配置される左右方向中間部の引起装置（８）の上端と前記カバー（１５）の間に、前記左右方向中間部の引起装置（８）の左右方向両側に有する引起経路を前記左右方向中間部の引起装置（８）の上方で繋ぐ穀稈通過空間（１５ｓ）が形成され、前記左右方向両側に有する引起経路に導入された穀稈の穂先がクロスしたままの状態で前記穀稈通過空間（１５ｓ）を経て前記左右方向中間部の引起装置（８）の後方へ通過する構成とし、
前記カバー（１５）に、該カバー（１５）が前記引起装置（８）の上方を覆う範囲を前後方向に拡大する調節体（５０）を設けたことを特徴とするコンバイン。
【請求項２】
前記カバー（１５）を、前記引起ラグ（１４）の上昇移動軌跡に対して略平行な閉姿勢とした状態で、前記調節体（５０）を、該カバー（１５）の背面に沿わせて収納される非拡大状態に姿勢変更可能な構成とした請求項１に記載のコンバイン。
【発明の詳細な説明】
【技術分野】
【０００１】
本発明は、コンバインに関するものである。
【背景技術】
【０００２】
下記特許文献１に示された従来技術は、運転席の前側に穀稈を引き起す引起装置が配置されるコンバインにおいて、各引起装置の上部を左右方向に長いカバーによって被覆したものである。このようなカバーを設けることにより、穀稈（特に長稈）の引起しの際、引起ラグによって脱粒された穀粒や穀稈に付着していた水滴や泥土、さらには引起ラグに付着した泥土等が運転席側に飛散するのが防止される。この結果、運転席のオペレータに、穀粒や水滴、泥土（以下、穀粒等ともいう）が直接当たることが防止され、また、ウインドウで囲われた運転室を有するキャビン仕様のコンバインにおいては、ウインドウが水滴や泥土で汚れることが防止される。
【先行技術文献】
【特許文献】
【０００３】
【特許文献１】特開２００２−１７６８２５号公報
【発明の概要】
【発明が解決しようとする課題】
【０００４】
しかし、上述の従来のカバーは、引起装置に対する位置及び姿勢を調節できないため、圃場状態や穀稈の長さ等により変化する穀粒等の飛散状況によっては、あるいはオペレータの姿勢、体型等によっては、穀粒等の飛散を効果的に遮断できなかったり、前方視界（特に分草位置の視界）が不必要に遮られたりする問題があった。
【０００５】
そこで、本発明は、かかる従来技術の問題を解消することにある。
【課題を解決するための手段】
【０００６】
上記課題を解決するために、本発明は次の技術的手段を講じる。
【０００７】
すなわち、請求項１記載の発明は、走行装置（２）を備えた走行車体（１）の上側に脱穀装置（３）と穀粒貯留装置（Ｇ）を左右に並べて設け、該穀粒貯留装置（Ｇ）の前側には運転席（５）を備えた操縦部（Ｔ）を設け、該操縦部（Ｔ）の前方に昇降自在な刈取装置（４）を設けたコンバインにおいて、前記刈取装置（４）の前部に、多数の引起ラグ（１４）を備えた後上がり傾斜姿勢の引起装置（８）を設け、前記引起ラグ（１４）の上昇移動軌跡の上方延長線上に、前後方向の傾斜姿勢を変更自在なカバー（１５）を設け、前記刈取装置（４）の左右両側部を覆う刈取サイドカバー（１８）を、上部サイドカバー（１８ａ）と下部サイドカバー（１８ｂ）とに上下に分割し、上部サイドカバー（１８ａ）を前記カバー（１５）と一体化し、該カバー（１５）を上方へ回動させて所定の開姿勢に設定したときにのみ、左右方向両端部の引起装置（８）の間に配置される左右方向中間部の引起装置（８）の上端と前記カバー（１５）の間に、前記左右方向中間部の引起装置（８）の左右方向両側に有する引起経路を前記左右方向中間部の引起装置（８）の上方で繋ぐ穀稈通過空間（１５ｓ）が形成され、前記左右方向両側に有する引起経路に導入された穀稈の穂先がクロスしたままの状態で前記穀稈通過空間（１５ｓ）を経て前記左右方向中間部の引起装置（８）の後方へ通過する構成とし、前記カバー（１５）に、該カバー（１５）が前記引起装置（８）の上方を覆う範囲を前後方向に拡大する調節体（５０）を設けたことを特徴とするコンバインである。
【０００８】
請求項２記載の発明は、前記カバー（１５）を、前記引起ラグ（１４）の上昇移動軌跡に対して略平行な閉姿勢とした状態で、前記調節体（５０）を、該カバー（１５）の背面に沿わせて収納される非拡大状態に姿勢変更可能な構成とした請求項１に記載のコンバインである。
【発明の効果】
【０００９】
請求項１に記載の発明によれば、カバー（１５）の前後方向の傾斜姿勢を変更することで、カバー（１５）による前後方向のカバー範囲を調節できるため、運転席（５）に着座したオペレータは、圃場状態や穀稈の長さ等による穀粒等の飛散状況に応じて、あるいはオペレータの姿勢、体型等に応じてカバー（１５）を適切な傾斜姿勢に調節することができ、運転席（５）からの前方視界の確保、及び、運転席（５）側への穀粒等の飛散防止を図ることができる。
また、上部サイドカバー（１８ａ）を把持して、この上部サイドカバー（１８ａ）とともにカバー（１５）を上下回動させることができるため、カバー（１５）専用のハンドルを設けなくてもカバー（１５）の姿勢変更操作を容易に行うことができる。
また、引起装置（８）を跨いでクロスする穀稈を後方に通過させることができ、穀稈が後方に通過できず詰ることや、穀粒の脱粒を防止することができる。
【００１０】
また、カバー（１５）の傾斜姿勢だけでなく、調節体（５０）によりカバー（１５）の前後方向のカバー範囲を調節できるため、オペレータは、圃場状態や穀稈の長さ等による穀粒等の飛散状況に応じて、あるいは、オペレータの姿勢や体型等に応じてカバー（１５）を適切な位置及び姿勢に調節することができる。
【００１１】
請求項２に記載の発明によれば、上記請求項１記載の発明の効果を奏するうえに、調節体（５０）を非拡大状態とすることで、操縦部（Ｔ）からの前方視界を良好にすることができる。
【図面の簡単な説明】
【００１２】
【図１】コンバインの側面図である。
【図２】コンバイン要部の正面図である。
【図３】コンバイン要部の平面図である。
【図４】引起装置の要部の側面図である。
【図５】コンバインの側面図である。
【図６】コンバイン要部の正面図である。
【図７】コンバイン要部の平面図である。
【図８】引起装置の要部の側面図である。
【図９】コンバインの側面図である。
【図１０】コンバイン要部の正面図である。
【図１１】コンバイン要部の平面図である。
【図１２】引起装置の要部の側面図である。
【図１３】コンバイン要部の平面図である。
【図１４】コンバイン要部の正面図である。
【図１５】コンバイン要部の平面図である。
【図１６】コンバインの側面図である。
【図１７】コンバイン要部の正面図である。
【図１８】コンバイン要部の平面図である。
【図１９】引起装置の要部の側面図である。
【図２０】コンバイン要部の正面図である。
【図２１】コンバインの側面図である。
【図２２】コンバイン要部の正面図である。
【図２３】補助引起装置及び引起装置の要部の側面図である。
【図２４】引起装置の要部の側面図である。
【図２５】引起装置の要部の側面図である。
【図２６】カバー及び調節体の要部の側面図である。
【図２７】カバー及び調節体の要部の平面図である。
【図２８】引起装置の要部の概略縦断面図である。
【図２９】カバー及び調節体の要部の概略側面図である。
【発明を実施するための形態】
【００１３】
以下、本発明の一実施の形態について添付図面を参照しつつ詳説する。
【００１４】
図１〜図４、図５〜図８及び図９〜図１２はそれぞれ異なる状態のコンバインを示すものである。このコンバインは、走行車体１の下部に左右一対の走行クローラ（走行装置）２，２を備え、走行車体１の上側には脱穀装置３とグレンタンク（穀粒貯留装置）Ｇを左右に並べて設け、グレンタンクＧの前側には運転席５や操作ボックス６等を備えた運転操作部Ｔを設け、この運転操作部Ｔおよび脱穀装置３の前方に刈取装置４を設けている。
【００１５】
刈取装置４は、圃場に植立する穀稈を左右に分草する分草体７，７…と、分草後の穀稈を引起経路Ｋに沿って引き起す４つの殻稈引起装置８，８，８，８と、引起後の穀稈の株元近くを切断して穀稈を刈り取る刈刃装置９と、分草後の穀稈の株元側を掻き込んで刈刃装置９を経て後方へ搬送する掻込搬送装置１０と、掻込搬送後の穀稈を引き継いで揚上搬送しながら姿勢変更して脱穀装置３に受け渡し供給する揚上搬送供給装置１１等を有するものである。
【００１６】
刈取装置４は、刈取メインフレーム２１により走行車体１に対し上下に昇降可能に装備されているものである。より詳細には、刈取メインフレーム２１は、刈取懸架台２２に袈設された刈取入力軸２３を支点として上下に回動する構成であり、刈取昇降シリンダ２４の伸縮作動により刈取装置４が昇降するようになっている。
【００１７】
引起装置８は、前後に分割可能な前後の引起ケース１２，１３と、この引起ケース１２，１３に内装された、図示しない上部の駆動スプロケット及び下部の従動輪に巻回されて駆動される無端の引起チェンと、この引起チェンに所定の間隔で取り付けられた引起ラグ１４とを有している。引起ラグ１４は、引起チェンの駆動に伴って後斜め上方に上昇移動する際、引起ケース１２，１３から引起経路Ｋ側の側方に突出して穀稈を引き起すものである。前側引起ケース１２は、後側引起ケース１３に対し着脱自在に取り付けできる構成としてあり、上方に引き上げると係止ロック状態が解除され前側に取り外しできるようになっている。各前側引起ケース１２，１２，…の前面は、上端部１２ｕがその下側の部分よりも傾斜の緩い後方傾斜姿勢となるよう屈曲形成されていて、図９に二点鎖線でオペレータの視線を示すように、着座姿勢での作業における分草体７，７…の分草位置近傍の視界が良好となり、起立姿勢での作業においては、分草位置がさらに良く見えるように構成している。符号１２ｃはこの屈曲位置を示している。
【００１８】
刈刃装置９は公知のバリカン型のものであり、刈取装置４を支持する刈取メインフレーム２１の下端部から前方に突出する先端部フレームに設けられ、穂先側が引起装置８による引き起こし作用を受け、株元側が掻込搬送装置１０による掻き込み作用を受けている状態の植立穀稈の株元部を切断するように構成されている。
【００１９】
刈取後の穀稈は、掻込搬送装置１０により後方へ搬送されて揚上搬送供給装置１１に引き渡され、揚上搬送供給装置１１による揚上搬送過程で姿勢変更された後、フィードチェン３Ｆに引き渡され脱穀装置３に供給される。揚上搬送供給装置１１としては株元側をチェンと挟持杆とで挟持し、穂先側を搬送ラグで掻き上げて搬送する公知の構成を採用している。
【００２０】
（カバー）
各引起装置８の上部は、左右横方向に長く構成されたカバー１５によって被覆される構造になっている。カバー１５は金属板により形成する他、ポリカーボネート等のプラスチック板により形成することも可能であり、その場合は透明又は半透明にしてカバー１５越しの視認性を確保するのも好ましい。
【００２１】
カバー１５は、引起装置８の引き起し経路Ｋに沿って上昇する引起ラグ１４の上昇軌跡の上方延長線上に配置し、前側引起ケース１２の上端側１２ｕ前面をカバーする状態と、上昇移行する引起ラグ１４における引起経路Ｋの上方をカバーする状態とに、前後方向の傾斜姿勢を変更自在に構成されている。そして、このカバー１５の姿勢変更手段として、前後上下のスライド構成とすることもできるが、本実施例では図９〜図１２に示されるように、左端及び右端の引起装置８の背部側に支持ステー８ｓ，８ｓがそれぞれ立設されるとともに、これら支持ステー８ｓ，８ｓ間に左右横方向に延在する支持軸１６が袈設され、カバー１５はこの支持軸１６を回動支点として上下に回動するように構成されている。カバー１５が上方へ回動した状態が引起経路Ｋの上方をカバーする姿勢変更状態（開姿勢）であり、カバー１５が下方へ回動した状態が前側引起ケース１２の上端側１２ｕ前面をカバーする姿勢変更状態（閉姿勢）である。また、支持軸１６近傍に引張スプリング１７を設け、支持軸１６に対して引張スプリング１７が前後に支点越えすることで、カバー１５を各姿勢に保持可能な構成になっており、カバー１５をワンタッチで開閉することができる。即ち、この支持軸１６と引張スプリング１７によってカバー１５の姿勢保持機構が構成される。
【００２２】
分草後の穀稈は、図２８に示すように、引起装置８の引起ケース１２，１３から引起経路Ｋ内に突出して上昇する引起ラグ１４が、穀稈の株元側から穂先側にかけて作用することで引き起こされる際、この引起ラグ１４に扱かれた穀粒等が運転席５のオペレータに向かって飛散することがあるが、カバー１５を穀粒等の飛散方向に対して側面視で直交する開姿勢に姿勢変更することにより、飛散する穀粒等をカバー１５によって効果的に遮ることができる。
【００２３】
カバー１５は、平板状のもの等、適宜の形状とすることができるが、本実施形態のように、上面カバー部１５ａと後面カバー部１５ｂとからなるように側面視で略への字型に形成されていると、上面カバー部１５ａの下面部で穀粒等の上方への飛散を阻止し、後面カバー部１５ｂの下面部で穀粒等の後方上方への飛散を阻止することができ、従って、運転席５への穀粒等の飛散を確実に防止することができるようになるため好ましい。
【００２４】
カバー１５は、開状態において、上面カバー部１５ａが引起ラグ１４の上昇軌跡の上方延長線と側面視で略直交する配置が好ましいが、後面カバー部１５ｂが引起ラグ１４の上昇軌跡の上方延長線と交差する配置とすることも可能である。また、カバー１５を引起ラグ１４の上昇軌跡の上方延長線から後方側にずらし、後述する調節体５０をそのカバー範囲の前方拡大により引起ラグ１４の上昇軌跡の上方延長線上に位置させる構造とすることも可能である。
【００２５】
本実施形態の多条刈りコンバインのように、左右方向中間の引起装置の左右両側に引起経路をそれぞれ有する場合、当該引起装置の下部前方の分草体により隣接条の穀稈は分離されて左右の各引起経路に導入される。しかし、穀稈が長稈の場合等においては、図２０に示すように隣接条の穀稈の穂先が絡んで分離されずに当該引起装置を跨いでクロスしたまま刈刃装置９により刈り取られ、後方に搬送されることがある。この際、当該引起装置の上端とカバー１５とが接触していると、当該引起装置を跨ぐクロス部分がこの接触部分に引っ掛かり後方に通過できずに詰まってしまう。また、穀稈の搬送力により穂先の絡みが無理に解けたとしても、穂先相互のしごき作用又はカバー１５と引起ケース１２，１３との隅部によるしごき作用により穂先の穀粒が脱粒することは避け難い。よって、左右方向中間の引起装置８の左右両側に引起経路をそれぞれ有する場合、図２１〜図２３に示すように、少なくとも当該引起装置８の上端とカバー１５との間に穀稈通過空間１５ｓが確保される構造とし、この穀稈通過空間１５ｓにより左右両側の引起経路を繋ぐことにより、穀稈の穂先部分がクロスしていてもそのまま後方に通過する構造とするのが好ましい。このような穀稈通過空間１５ｓは、カバー１５の姿勢如何によらず形成される構造とすることも可能であるが、その場合、カバー１５の位置が高くなり前方視界の妨げとなるため、カバー１５を開姿勢としたときにのみ形成される構造とする方が好ましい。
【００２６】
穀稈が倒伏状態で絡みあうような圃場状態で効果的に引起を行うために、図２１〜図２３に示すように、引起装置８の前方位置に、補助引起ラグ６２を前方に突出させながら倒伏状態で絡みあう穀稈に対して左右に分割しながら引起回動する補助引起装置６０を取り付けることがある。補助引起装置６０は、補助引起ケース６１と、この補助引起ケース６１に内装された、図示しない伝動スプロケット及び張設輪に巻回されて駆動される無端の補助引起チェンと、この補助引起チェンに所定の間隔で取り付けられた補助引起ラグ６２とを有している。補助引起ラグ６２は、補助引起チェンに伴って後斜め上方に上昇移動する際、補助引起ケース６１から前方に突出して穀稈を左右に分割しながら引き起すものである。このような状況における作業では、穀粒や泥土が運転席５側へ跳ね易いため前述のカバー１５を設けるのが好ましいが、隣接条の穀稈の穂先が絡んで分離されずに補助引起装置６０及び引起装置８を跨いでクロスしたまま搬送される現象が発生し易い。よって、特にこのような補助引起装置６０を設ける場合は、図示するように前述の穀稈通過空間１５ｓを補助引起装置６０の補助引起ラグ６２の作用域よりも上方に設け、補助引起装置６０及び引起装置８で引起した穀稈を穂先部分がクロスしていてもそのまま後方に通過するように構成するのが好ましい。
【００２７】
本実施例では、各引起装置８の左右両サイドに配置された刈取サイドカバー１８，１８は、上部サイドカバー１８ａと下部サイドカバー１８ｂとに分割され、上部サイドカバー１８ａは、下部サイドカバー１８ｂに対して上側面及び外側面上に重合し、前記カバー１５と連結により一体化され、該カバー１５と共に上下に揺動開閉可能に構成されている。刈取サイドカバー１８，１８と上部サイドカバー１８ａとは単一のカバー部材として形成しても良い。これにより、上部サイドカバー１８ａをハンドル代わりにして、上部サイドカバー１８ａとともにカバー１５を揺動させることができため、専用のハンドルを設けなくてもカバー１５の姿勢変更操作を容易に行うことができるようになる。また、本実施例では、カバー１５及び上部サイドカバー１８ａを上方に回動させないと、前側引起ケース１２及び下部サイドカバー１８ｂの取り外しができなくなっているため、カバー１５及び上部サイドカバー１８ａは、その下方への閉動によって前側引起ケース１２及び下部サイドカバー１８ｂをロックするロック機構の役目を果たす構造になっている。よって、上部サイドカバー１８ａの下部に重合した下部サイドカバー１８ｂの着脱が簡単に行え、刈取装置のメンテナンスも容易である。
【００２８】
図１６〜図１９に示すように、カバー１５を揺動開閉するためのハンドル１５Ｈをカバー１５に取り付けることも可能である。このハンドル１５Ｈは、運転席５からカバー１５を揺動操作できるように、カバー１５の運転席５に近い部位、例えば運転席５前方の部位から上方に突出しているのが好ましい。
【００２９】
本実施例におけるカバー１５には、その前後方向カバー範囲を拡大自在である調節体５０が設けられている。この調節体５０により、カバー１５の前後方向の傾斜姿勢だけでなく、カバー１５の前後方向カバー範囲を調節できるため、オペレータは、圃場状態や穀稈の長さ等による穀粒等の飛散状況に応じて、あるいはオペレータの姿勢、体型等に応じて、前方視界及び穀粒等の飛散防止を比較考量しつつ、カバー１５を適切な位置及び姿勢に調節できるようになる。
【００３０】
例えば、穀粒等が運転席５側に飛散するときには、図２９（ｂ）及び図２３に示すようにカバー１５の姿勢を穀粒等の飛散方向に対する交差角が直角又はそれに近くなる開姿勢に変更し、更に飛散範囲が広いとき等、必要に応じて図２９（ｃ）及び図８に示すように調節体５０によりカバー範囲を前方に拡大することにより、穀粒等の飛散をカバー１５で効果的に遮りつつ、前方視界を可能な限り確保することができる。一方、穀粒等の飛散が無いか、又は運転席５側への飛散が少ないときには、図２９（ａ）及び図２４に示すようにカバー１５の姿勢を穀粒等の飛散方向に対して平行又はそれに近くなる閉姿勢に変更し、更に必要に応じて調節体５０を非拡大状態に調節することにより、前方視界を重視した状態とすることができる。さらにこれらの中間程度のカバー範囲とするために、図２９（ｄ）及び図２５に示すようにカバー１５の姿勢を穀粒等の飛散方向に対して平行又はそれに近くなるように姿勢変更するとともに、調節体５０を前方に拡大した状態とすることも可能である。このように、カバー１５の姿勢及びカバー範囲の調節は、オペレータが任意に変更できるものであり、このような調節形態に限られるものではない。
【００３１】
調節体５０は、透明又は半透明のポリカーボネート等のプラスチック板により形成して調節体５０越しの視認性を確保するのが好ましいが、金属板により形成することも可能である。調節体５０の形状は適宜定めることができ、図示例のような矩形状の他、前端縁が弧状に張り出した形状等とすることも可能である。
【００３２】
本実施形態の調節体５０は、カバー１５の前側カバー範囲を拡大するものであるが、後側又は前後両側のカバー範囲を拡大する構造としても良い。調節体５０におけるカバー範囲の拡大量は適宜定めることができるが、図５に示すように、カバー１５の前端が最も前方に位置する姿勢変更状態で前側引起ケース１２の屈曲位置１２ｃよりも後方に位置するとともに、調節体５０のカバー範囲を前方に拡大することにより調節体５０の前端が前側引起ケース１２の屈曲位置１２ｃよりも前方に位置しうる構成とするのが好ましい。これにより、調節体５０の前端を前側引起ケース１２の屈曲位置１２ｃより後方に位置させれば、オペレータは運転席５に着座したままで分草位置を直視でき、分草引起状況の確認を容易に行うことができ、刈取作業の能率を高めることができるようになるとともに、必要に応じて調節体５０の前端を前側引起ケース１２の前面の屈曲位置１２ｃよりも前方に位置させて効果的に穀粒等の飛散防止を図ることも可能となる。
【００３３】
本実施形態の多条刈りコンバインでは、走行車体１の右側部分（又は左側部分）に運転席５を有し、運転席５の前方にも引起装置８を有している。このような多条刈りコンバインでは、カバー１５は両端の引起装置８にわたるように延在させるとともに、調節体５０は少なくとも運転席５と対応する左右方向範囲をカバーするように左右方向に延在させるのが好ましい。この場合、図１〜図１２に示される例のように、カバー１５の左右方向の略全体にわたり調節体５０を設けると籾殻等の飛散防止効果に優れるが、図１４及び図１５に示すように運転席５の前方位置のみに調節体５０を設けて安価で前方視界に優れる構成とすることも可能である。また、いずれにせよ、オペレータは運転席５から調節体５０に手をかけて調節することができ、より的確な調節が可能となるとともに、穀稈の引起により後上方へ飛散する穀粒等のうち少なくとも運転席５に向かうものについては効果的に遮断することができるようになる。
【００３４】
特に、調節体５０を直接手で操作する場合は、カバー１５及び調節体５０は左端の引起装置８の左端部又は右端の引起装置８の右端部（特に運転席５側）まで延在しているのが好ましい。また図１３に示すように、運転席５が走行車体の右側部分に位置し引起装置８が運転席５よりも右側まで張り出している場合は、この張り出し部分からの籾殻等の飛散をも防止するため、カバー１５及び調節体５０を運転席５の右側まで延在させるのが好ましい。運転席５が左側で引起装置８の張り出しが左側の場合も同様にカバー１５及び調節体５０を運転席５の左側まで延在させるのが好ましい。
【００３５】
調節体５０の拡大調節機構は適宜定めることができ、拡大方向に沿ってスライドする機構（図示略）を採用することもできるが、本実施例の調節体５０は、図２４〜図２７に示すように、基端部がカバー１５の前端部に設けられた左右方向に沿う調節体支持軸５１によりカバー１５に軸支され、先端側の部分がこの調節体支持軸５１を回動支点として回動することでカバー１５の前後方向カバー範囲を拡大するものである。この場合、調節体５０によるカバー範囲の調節は、調節体５０をカバー１５に対して調節体支持軸５１回りに回動することで変更できるため、変更操作がワンタッチで簡単になるだけでなく、調節体５０の角度も調節できるため、前方視界の妨げとならないようにカバー範囲を拡大することも可能である。さらに、カバー１５を上方に揺動させた場合には、オペレータ側への穀粒や泥土の飛散が阻止されるものでありながら、前側引起ケース１２の着脱が簡単に行える等、引起装置８のメンテナンスが容易に行えるという利点もある。
【００３６】
この調節体５０の回動機構も適宜定めることができるが、本実施例では、調節体５０に調節体支持軸５１を弾力的に挟持する一対の挟持部５２，５３を設け、一方の挟持部５２をある程度の弾性を有する平板状体（バネ材）により構成し、他方の挟持部５３を調節体支持軸５１が嵌合する円弧状の受け溝５３ｄを有する板状体により構成している。これにより、簡素・安価な構成で調節体５０を確実に支持できるようになるとともに、無段階の回動が可能となる。また、調節体５０の回動時には、挟持部５２，５３と調節体支持軸５１との摩擦により、接触面間の錆や埃等を素早く取り除くことができ、常時スムーズにカバーを回動させることができるようになる。
【００３７】
また、本実施例の一対の挟持部５２，５３は挟持方向に貫通する螺子挿通孔を有し、これらの螺子挿通孔に対して一方側から他方側へ調節ボルト５４ｂを挿し通してナット体５４ｎに螺合させ、締め付けることにより一方の挟持部５２を他方の挟持部５３に対して弾力的に押し付ける構造となっているため、調節ボルト５４ｂの締め付けトルクのみで調節体５０の回動荷重を容易に調整することができる。よって、このような回動荷重調整手段を設けるのは好ましい。
【００３８】
さらに、調節体支持軸５１をカバー１５の左右方向に間隔を空けて複数か所に設けるとカバー１５の支持が安定するため好ましく、その場合に各調節体５０に前述の回動荷重調整手段を設け、運転席５から遠い方の調節体支持軸５１における調節体５０の回動荷重を、運転席５側の調節体支持軸５１における調節体５０の回動荷重より弱くすると、運転席５側から調節体５０を容易に回動させることができるため好ましい。
【００３９】
本実施例では、調節体支持軸５１をカバー１５に設け、挟持部５２，５３を調節体５０に設けているが、反対に挟持部５２，５３をカバー１５に設け、調節体支持軸５１を調節体５０に設けても良い。
【００４０】
他方、図示の実施例は、運転席５がウインドウで囲まれていない非キャビン型への適用例であるが、本発明は、ウインドウで囲まれた運転室を有するキャビン型にも適用することができ、その場合にもウインドウの水滴、泥土による汚れを防止できるといった利点がもたらされる。
【産業上の利用可能性】
【００４１】
本発明は、操縦部の前側に刈取装置が配置されるコンバインに利用できるものである。
【符号の説明】
【００４２】
１  走行車体
２  走行クローラ（走行装置）
３  脱穀装置
４  刈取装置
５  運転席
８  引起装置
８ｓ  支持ステー
１４  引起ラグ
１５  カバー
１５ｓ  穀稈通過空間
１６  支持軸（姿勢保持機構）
１７  引張スプリング（姿勢保持機構）
１８  刈取サイドカバー
１８ａ  上部サイドカバー
１８ｂ  下部サイドカバー
５０  調節体
Ｇ  グレンタンク（穀粒貯留装置）
Ｔ  操縦部
【図１】
0005838553.tif 000002
【図２】
0005838553.tif 000003
【図３】
0005838553.tif 000004
【図４】
0005838553.tif 000005
【図５】
0005838553.tif 000006
【図６】
0005838553.tif 000007
【図７】
0005838553.tif 000008
【図８】
0005838553.tif 000009
【図９】
0005838553.tif 000010
【図１０】
0005838553.tif 000011
【図１１】
0005838553.tif 000012
【図１２】
0005838553.tif 000013
【図１３】
0005838553.tif 000014
【図１４】
0005838553.tif 000015
【図１５】
0005838553.tif 000016
【図１６】
0005838553.tif 000017
【図１７】
0005838553.tif 000018
【図１８】
0005838553.tif 000019
【図１９】
0005838553.tif 000020
【図２０】
0005838553.tif 000021
【図２１】
0005838553.tif 000022
【図２２】
0005838553.tif 000023
【図２３】
0005838553.tif 000024
【図２４】
0005838553.tif 000025
【図２５】
0005838553.tif 000026
【図２６】
0005838553.tif 000027
【図２７】
0005838553.tif 000028
【図２８】
0005838553.tif 000029
【図２９】
0005838553.tif 000030